(57)【要約】      （修正有）【課題】生成したオゾンを加湿手段に戻す戻しダクトによる送風抵抗を低減した空気清浄機を提供する。【解決手段】オゾン発生装置６０は仕切壁７０に取り付けられており、覆い部６２が下流側送風路１０ｂに配置され、戻しダクト６４が上流側送風路１０ａに配置されている。また、戻しダクト６４は、加湿ユニット４０の上方に配置され、かつ、その一部が加湿ユニット４０の上流側（空気吸込口１１側）の空気通過面より仕切壁７０側に配置されている。オゾン発生装置６０で生成されたオゾンは、下流側送風路１０ｂを流れる空気とともに空気吹出口１２から室内に放出される。また、生成されたオゾンの一部は、戻しダクト６４を流れて加湿ユニット４０に供給される。【選択図】図２
2014052084.tif 000002
【特許請求の範囲】
【請求項１】
筐体内に空気を取り込む空気吸込口と、筐体内から室外へ空気を放出する空気吹出口と、前記空気吸込口と前記空気吹出口とを連通させる送風路と、同送風路内に配置される送風機とを備え、
前記送風路内には、取り込んだ空気を除塵・脱臭する空気清浄手段と、取り込んだ空気を加湿する加湿手段と、オゾンを生成して前記送風路に放出するオゾン放出手段とを備えた空気清浄機であって、
前記送風路内には、同送風路を前記空気吸込口から前記送風機までの上流側送風路と、前記送風機から前記空気吹出口までの下流側送風路とに仕切る仕切壁が設けられ、
前記加湿手段が前記上流側送風路に配置され、
前記オゾン放出手段は、生成したオゾンの一部を前記加湿手段に導くための戻しダクトを備え、前記オゾン放出手段が前記仕切壁に取り付けられて前記戻しダクトが前記上流側送風路に配置されていることを特徴とする空気清浄機。
【請求項２】
前記空気清浄手段は、前記加湿手段より前記空気吸込口側に配置され、前記空気清浄手段と前記仕切壁とで規定される空間のうち前記加湿手段の上方の空間に前記戻しダクトの一部が配置されることを特徴とする請求項１に記載の空気清浄機。
【請求項３】
前記オゾン放出手段は、オゾン生成部と、同オゾン生成部を収め前記戻しダクトを備えたケース部材と、前記オゾン生成部を覆うように前記ケース部材に取り付けられ前記オゾン生成部で生成されたオゾンを放出するためのオゾン吹出口を備えたカバー部材とを有し、前記ケース部材が前記上流側送風路に配置されていることを特徴とする請求項１または請求項２に記載の空気清浄機。
【請求項４】
前記オゾン放出手段は、少なくとも前記オゾン吹出口が前記下流側送風路に臨むように、前記仕切壁に取り付けられていることを特徴とする請求項１乃至請求項３に記載の空気清浄機。
【請求項５】
前記戻しダクトは、前記下流側送風路から空気を取り込むための吸入部を有し、同吸入部は前記下流側送風路に向けて開口されていることを特徴とする請求項１乃至請求項４に記載の空気清浄機。
【発明の詳細な説明】
【技術分野】
【０００１】
本発明は、オゾン発生装置および加湿装置を備えた空気清浄機に関する。
【背景技術】
【０００２】
従来、空気清浄機として、本体ケース内に設けられた送風機の駆動によって本体ケース内に吸い込んだ空気を、集塵フィルタと脱臭ユニットとを順次通過させ、集塵フィルタで塵埃を除去すると共に脱臭ユニットで臭気成分を除去して浄化し、浄化した空気を本体ケース外に吹き出すものが知られている。
【０００３】
この種の空気清浄機において、本体ケース内に上記集塵フィルタや脱臭ユニットに加えて、本体ケース内に吸い込んだ空気を加湿する加湿ユニットと、オゾンを生成するオゾン発生装置とを備えたものが提案されている（例えば、特許文献１参照）。
【０００４】
特許文献１に記載の空気清浄機は、空気吸込口から導入した空気を空気吹出口へ導く送風路の上流側（空気吸込口から送風機までの間）に、上述した集塵フィルタや脱臭ユニット、加湿ユニット等が備えられ、また、送風路の下流側（送風機から空気吹出口までの間）の空気吹出口付近にオゾン発生装置が配置されている。
【０００５】
オゾン発生装置は、送風路を流れる空気の一部をオゾン発生装置内に取り込むための流入口と、オゾン発生装置内から空気吹出口に空気を導出するための流出口と、生成したオゾンの一部を加湿ユニットに供給するための戻しダクトとを備えている。流入口からオゾン発生装置内に取り込まれた空気は、生成されたオゾンを取り込んで流出口から空気吹出口に流出する。また、生成されたオゾンの一部が戻しダクトを流れて加湿ユニットに供給されて、加湿ユニットが除菌・脱臭される。
【先行技術文献】
【特許文献】
【０００６】
【特許文献１】特開２０１２−３７１３８号公報（第７〜８頁、第７図、第９図）
【発明の概要】
【発明が解決しようとする課題】
【０００７】
戻しダクトは、オゾン発生装置の筐体底面部から下方に、加湿ユニットが配置されている箇所まで延伸して設けられている。また、上述したように、加湿ユニットは送風路の上流側に配置されているとともに、オゾン発生装置は送風路の下流側に配置されている。従って、戻しダクトが下流側送風路を縦断して上流側送風路に配置されている加湿ユニットまで延伸されていることとなり、戻しダクトの一部が下流側送風路内に配置されて戻しダクトが下流側送風路を流れる空気の抵抗（送風抵抗）となるという問題があった。
【０００８】
本発明は以上述べた問題点を解決し、戻しダクトに起因する送風抵抗を低減した空気清浄機を提供することを目的とする。
【課題を解決するための手段】
【０００９】
本発明は上述の課題を解決するものであって、本発明の空気清浄機は、筐体内に空気を取り込む空気吸込口と、筐体内から室外へ空気を放出する空気吹出口と、空気吸込口と空気吹出口とを連通させる送風路と、送風路内に配置される送風機とを備え、送風路内には、取り込んだ空気を除塵・脱臭する空気清浄手段と、取り込んだ空気を加湿する加湿手段と、オゾンを生成するオゾン放出手段とを備えたものであって、送風路内には、送風路を空気吸込口から送風機までの上流側送風路と、送風機から空気吹出口までの下流側送風路とに仕切る仕切壁が設けられているものである。そして、加湿手段は上流側送風路に配置され、オゾン放出手段は、生成したオゾンの一部を加湿手段に導くための戻しダクトを備え、オゾン放出手段が仕切壁に取り付けられて戻しダクトが上流側送風路に配置されているものである。また、空気清浄手段は加湿手段より空気吸込口側に配置され、空気清浄手段と仕切壁とで規定される空間のうち加湿手段の上方の空間に戻しダクトの一部が配置されるものである。
【発明の効果】
【００１０】
本発明の空気清浄機は、生成したオゾンを加湿手段に供給するための戻しダクトを上流側送風路における加湿手段の上方に配置し、かつ、戻しダクトの一部が加湿手段における空気吸込口側の空気通過面より仕切壁側に配置されている。従って、戻しダクトが下流側送風路を流れる空気の通風抵抗とならず、かつ、上流側通風路においても空気の流れが少ない箇所に配置されているので、効率よく空気清浄や加湿手段の除菌・脱臭が行える。
【図面の簡単な説明】
【００１１】
【図１】本発明の実施例における空気清浄機の外観斜視図である。
【図２】本発明の実施例における空気清浄機の断面図である。
【図３】本発明の実施例における、オゾン発生装置の分解斜視図である。
【図４】本発明の他の実施例におけるオゾン発生装置の説明図であり、（Ａ）は分解斜視図、（Ｂ）は外観斜視図である。
【発明を実施するための形態】
【００１２】
以下、本発明の実施の形態を、添付図面に基づいて詳細に説明する。尚、本発明は以下の実施形態に限定されることはなく、本発明の主旨を逸脱しない範囲で種々変形することが可能である。
【実施例１】
【００１３】
図１は、本発明の一実施形態を示す空気清浄機１を正面斜め上方から見た斜視図である。図１に示すように、この空気清浄機１は、合成樹脂パネルで成形された略直方体状の筐体を有し、筐体の前面パネル１７の四方に設けられた空気吸込口１１から筐体内に導入した空気を、上面に設けられた空気吹出口１２から室内に放出する間に、空気の除塵・脱臭および加湿処理が行われるようになっている。
【００１４】
空気吹出口１２の上方には、回動可能なルーバ１３が配置されており、ルーバ１３の開閉角度を変えることで空気の吹き出し方向を適宜調節できる。尚、図１に示すルーバ１３は閉じた位置にあるが、この状態でも空気吹出口１２は開口しているため、上方へ空気を吹き出すことができる。
【００１５】
空気清浄機１の筐体上面部には、上述した空気吹出口１２やルーバ１３の他に、空気清浄機１を操作する操作パネル１９が設けられている。操作パネル１９は、空気吹出口１２の側方（前面パネル１７側）に配置されている。また、空気清浄機１の筐体左右側面は、前面パネル１７と端部で接する側面パネル１８で覆われている。
【００１６】
図２は、図１に示す空気清浄機１の中央部を縦断したＸ−Ｘ線に沿った断面図である。図２に示すように、空気清浄機１の筐体内部には、空気吸込口１１から導入した空気を空気吹出口１２まで案内する送風路１０が形成されており、送風路１０の途中には、送風路１０内の空気を、空気吸込口１１から空気吹出口１２に向かって流通させるための送風機５０が設けられている。
【００１７】
また、送風機５０前端（前面パネル１７側）の上部から空気吹出口１２前端（前面パネル１７側）にかけて仕切壁７０が設けられており、送風路１０は、この仕切壁７０によって空気吸込口１１から送風機５０までの上流側通風路１０ａと、送風機５０から空気吹出口１２までの下流側送風路１０ｂとに仕切られている。
【００１８】
送風機５０は、回転数可変のファンモータ５１と、ファンモータ５１の出力軸に接続されたシロッコファン５２とで構成されている。尚、送風機５０には、シロッコファン５２を用いることが好ましいが、例えば、ラジアルファンや軸流ファン等といった空気を流通させる機能を有する別形態のファンであってもよい。
【００１９】
送風路１０の上流側送風路１０ａには、空気吸込口１１から送風機５０に向かう方向に順に、プレフィルタ２０、集塵フィルタ２１、脱臭ユニット３０、加湿手段である加湿ユニット４０が配置されている。尚、プレフィルタ２０と集塵フィルタ２１と脱臭ユニット３０とで、本発明の空気清浄手段が構成されている。
【００２０】
プレフィルタ２０は、例えば糸状のＰＥＴ材を編みこんで網目構造としたものであり、空気吸込口１１から吸い込まれた空気に含まれる塵埃を捕集する。集塵フィルタ２１は、例えば不織布をプリーツ形状に形成したものであり、プレフィルタ２０で捕集できなかった細かな塵埃や花粉等を捕集する。
【００２１】
脱臭ユニット３０は、臭気成分を吸着して分解する触媒フィルタ３３と、ＰＴＣヒータ３１とこのＰＴＣヒータ３１を取り付ける図示しない放熱板とで構成され触媒フィルタ３３を加熱して吸着した臭気成分の分解を促進する加熱部３５と、触媒フィルタ３３や加熱部３５を挟むように両側に配置された通気性を有する一対の板状断熱材３２と、触媒フィルタ３３、加熱部３５および板状断熱材３２の外周を囲って配置される環状断熱材３４とにより構成されている。
【００２２】
加湿ユニット４０は、図示しない給水タンクから供給される水を貯留しておく貯水タンク４０ｂと、一部が貯水タンク４０ｂに溜められた水に浸った状態で回転軸４０ｄにより回転可能に支持されたプリーツ形状を有する加湿フィルタ４０ｃと、加湿フィルタ４０ｃを回転させる図示しない駆動モータとにより構成されており、加湿ユニット４０の前面パネル１７側は加湿ユニット４０に空気を取り込むための空気流入面４０ａとなっている。この空気流入面４０ａは、回転軸４０ｄと直交するように設けられており、駆動モータによって加湿フィルタ４０ｃを回転させることで、貯水タンク４０ｂに貯留されている水が加湿フィルタ４０ｃに吸収され、加湿フィルタ４０ｃを空気流入面４０ａから流入した空気が通過することによって空気を加湿する。
【００２３】
一方、送風路１０の下流側送風路１０ｂには、オゾンを発生させて空気の除菌や脱臭を行うオゾン放出手段であるオゾン発生装置６０の一部が突出するように設けられている。より詳細には、図２に示すように、オゾン発生装置６０は、後述する装置筐体６３が仕切壁７０に固定されており、その一部が下流側送風路１０ｂに、残部が上流側送風路１０ａに、各々突出するように配置されている。
【００２４】
本実施形態における空気清浄機１の特徴的な構成は、上述したオゾン発生装置６０の構成およびその取り付け位置にある。まずは図２および図３を用いてオゾン発生装置６０の構成について具体的に説明し、次に図１乃至図３を用いてオゾン発生装置６０の取付位置およびその効果について詳細に説明する。
【００２５】
図３は、オゾン発生装置６０を正面斜め下方から見た分解斜視図である。図３に示すように、オゾン発生装置６０は、オゾン生成部であるオゾナイザー６１と、ケース部材である装置筐体６３と、カバー部材である覆い部６２と、プレート６５とにより構成されている。
【００２６】
オゾナイザー６１は、例えば、沿面放電方式のものであり、高電圧電極と誘電電極とを有し、電極間における放電によって空気中の酸素をオゾンに変換するものである。図２および図３に示すように、オゾナイザー６１は装置筐体６３の前面部に取り付けられており、生成したオゾンが装置筐体６３の前面側に放出されるようになっている。
【００２７】
装置筐体６３は、合成樹脂で略直方形状に成形されており、その前面部には上述したオゾナイザー６１が取り付けられるとともに、オゾナイザー６１の側部には戻し孔６３ａが設けられている。また、装置筐体６３の底面部の略中央部には、下方に向けて突出した戻しダクト６４が設けられており、図２に示すように、上述した戻し孔６３ａと連通している。この戻しダクト６４は、先端部に向かうにつれて若干細くなるように形成された角筒状の形状とされており、戻しダクト６４の途中から先端部にかけて戻しダクト６４を形成する前面側（加湿ユニット４０側）の壁が開口されたオゾン戻し口６４ａが設けられている。さらには、装置筐体６３の内部後方には、オゾナイザー６１の電極に電圧を印加するための電源基板６６が格納されている。
【００２８】
覆い部６２は、金属板を折り曲げ加工して箱状に形成したものであり、その前面部には角スリット状のオゾン吹出口６２ａが設けられている。また、側面の後方端部は略直角に折り曲げられて覆い部６２を装置筐体６３に取り付けるための取付部６２ｂが形成されている。
【００２９】
プレート６５は、金属板を打ち抜き加工して略四方形状の板状に形成したものであり、各々略四方形状であるオゾナイザー用開口部６５ａと戻し孔用開口部６５ｂとが設けられている。これらオゾナイザー用開口部６５ａおよび戻し孔用開口部６５ｂは、プレート６５を装置筐体６３に装着した際に、オゾナイザー６１や戻し孔６３ａの位置や形状に対応して設けられている。
【００３０】
オゾン発生装置６０の組み立ては次のとおりである。まず、装置筐体６３にオゾナイザー６１や電源基板６６を取り付け、プレート６５を装置筐体６３前面に装着する。次に、覆い部６２をプレート６５の上から装着し取付部６２ｂを介してネジ止めする。これにより、プレート６５が覆い部６２と共締めされて固定され、組み立てが完了する。
【００３１】
組み立てた状態で電源基板６６からオゾナイザー６１に電圧を印加してオゾン発生装置６０を起動すると、オゾナイザー６１でオゾンが生成される。生成されたオゾンは覆い部６２によって濃度が高められ、オゾン吹出口６２ａからオゾン発生装置６０外部に放出される（図３の破線矢印Ｄ）。また、覆い部６２に滞留するオゾンの一部は、戻し孔６３ａから戻しダクト６４に流入し、オゾン戻し口６４ａから放出される（図３の破線矢印Ｅ）。
【００３２】
次に、図１乃至図３を用いて、空気清浄機１を運転したときの空気の流れを説明し、その際のオゾン発生装置６０の働きおよびその取付位置に起因する効果について説明する。
【００３３】
使用者による操作パネル１９の操作によって、空気清浄機１が運転を開始する。空気清浄機１が運転を開始すると、送風機５０が回転し、これにより送風路１０の上流側送風路１０ａが負圧となって空気吸込口１１から空気清浄機１内に空気が導入される（図２の矢印Ａ）。
【００３４】
空気清浄機１内に導入された空気は、上流側送風路１０ａ内を送風機５０側に向かって流れる（図２の矢印Ｂ）。上流側送風路１０ａ内の空気は、プレフィルタ２０および集塵フィルタ２１を通過する際に除塵され、続いて脱臭ユニット３０を通過する際に脱臭される。また、加湿ユニット４０を通過する際に加湿される。このように除塵・脱臭および加湿された空気は、上流側送風路１０ａから正圧となっている下流側送風路１０ｂに流入する。
【００３５】
下流側送風路１０ｂに流入した空気は、下流側送風路１０ｂ内を流れるときに、オゾン発生装置６０で生成されて覆い部６２のオゾン吹出口６２ａから放出されたオゾン（図２の破線矢印Ｄ）を含み、空気吹出口１２から室内に放出される（図２の矢印Ｃ）。
【００３６】
また、図２に示すように、オゾン発生装置６０は、覆い部６２が下流側送風路１０ｂに突出するよう、また、戻しダクト６４全体が上流側送風路１０ａにおける加湿ユニット４０の上方に配置されるよう、仕切壁７０に取り付けられている。また、戻しダクト６４の水平部（戻し孔６３ａに接続している部分）は、空気清浄手段（プレフィルタ２０、集塵フィルタ２１および脱臭ユニット３０）と仕切壁７０とで規定される空間のうち加湿ユニット４０の上方、すなわち、加湿ユニット４０の空気流入面４０ａと同一平面であり加湿ユニット４０の上端部から上方へ延びる仮想平面８０と、仕切壁７０とで規定される空間９０内に配置されている。
【００３７】
より具体的には、図２に示すように、加湿ユニット４０はその上端部が脱臭ユニット３０の上端部より下方に位置するように配置されているとともに、仕切壁７０は加湿ユニット４０と送風機５０との間から上方へ延伸して加湿ユニット４０および脱臭ユニット３０の上方を覆うように折り曲げられて配置されており、空間９０はこれら加湿ユニット４０と脱臭ユニット３０と仕切壁７０とで囲まれる空間である。
【００３８】
図２に示すように、戻しダクト６４の戻し口６４ａは、加湿ユニット４０の上流側（空気吸込口１１側）に配置され、かつ、オゾン戻し口６４ａが加湿ユニット４０に向けて開口している。送風機５０が駆動しているときは、上流側送風路１０ａが負圧であることから、オゾン発生装置６０で生成されたオゾンの一部は、戻し孔６３ａから戻しダクト６４を流れてオゾン戻し口６４ａから放出されて加湿ユニット４０に供給され、加湿ユニットの除菌・脱臭が行われる。
【００３９】
上述したように、オゾン発生装置６０の戻しダクト６４は下流側送風路１０ｂに配置されていないので、戻しダクト６４が下流側送風路１０ｂでの通風抵抗とならない。また、戻しダクト６４の一部（上述した水平部）が空間９０内に配置されているが、脱臭ユニット３０から流出した空気は加湿ユニット４０の空気流入口４０ａに向かって流れるので、空間９０を流れる空気流量は少ない。従って、戻しダクト６４は上流側送風路１０ａでも大きな通風抵抗とはならず、効率よく空気清浄手段による除塵・脱臭や加湿ユニット４０による加湿が行える。
【実施例２】
【００４０】
次に、本発明の第２の実施形態について説明する。尚、本実施形態では、空気清浄機の構成や運転動作、オゾン発生装置の取付位置に起因する効果等については、第１の実施形態と同じであるため、詳細な説明を省略する。第１の実施形態と異なるのは、オゾン発生装置における戻しダクトの形状である。
以下に、図４を用いて、本実施形態のオゾン発生装置６００について詳細に説明する。
【００４１】
図４は、本実施形態のオゾン発生装置６００の説明図であり、（Ａ）はオゾン発生装置６００を正面斜め下方から見た分解斜視図であり、（Ｂ）は組み立て後のゾン発生装置６００を正面斜め下方から見た外観斜視図である。図４（Ａ）に示すように、オゾン発生装置６００は、オゾナイザー６１０と、ケース部材である装置筐体６３０と、カバー部材である覆い部６２０と、プレート６５０とにより構成されている。尚、オゾナイザー６１０については、第１の実施形態におけるオゾナイザー６１と同じであるため、以下で詳細な説明は省略する。
【００４２】
装置筐体６３０は、合成樹脂で略直方形状に形成されており、その前面部には上述したオゾナイザー６１０が取り付けられている。また、装置筐体６３０の底面部には、略Ｌ字形状に形成された戻しダクト６４０が設けられている。さらには、装置筐体６３０内部後方には、オゾナイザー６１０の電極に電圧を印加するための電源基板６６が格納されている。
【００４３】
戻しダクト６４０は、略コ字状に形成されて開口側の一部が装置筐体６３０の底面部の左右方向における中央部に接合されている吸込部６４０ａと、吸込部６４０ａにおける後方側（底面部の中央部側）の一端と連通するように接続され下方に向けて突出したダクト部６４０ｂとから構成されている。
【００４４】
ダクト部６４０ｂは、先端部に向かうにつれて若干細くなるように形成された角筒状の形状とされており、戻しダクト６４の途中から先端部にかけて戻しダクト６４を形成する前面側（加湿ユニット４０側）の壁が開口されたオゾン戻し口６４０ｃが設けられている。また、吸込部６４０ａの他端（装置筐体６３０の前面部側）は、装置筐体６３０の前面部より所定寸法突き出しており、オゾン発生装置６００を空気清浄機１に取り付けた際に下流側送風路１０ｂに配置されるようになっている。
【００４５】
覆い部６２０は、金属板を折り曲げ加工して箱状に形成したものであり、その前面部には角スリット状のオゾン吹出口６２０ａが設けられている。また、側面の後方端部は略直角に折り曲げられて覆い部６２０を装置筐体６３０に取り付けるための取付部６２０ｂが形成されている。さらには、覆い部６２０の底面部の略中央部には、所定寸法の戻し孔６２０ｃが設けられている。
【００４６】
プレート６５０は、金属板を打ち抜き加工して略四方形状の板状に形成したものであり、略四方形状であるオゾナイザー用開口部６５０ａが設けられている。オゾナイザー用開口部６５０ａは、プレート６５０を装置筐体６３０に装着した際に、オゾナイザー６１０の位置や形状に対応して設けられている。
【００４７】
以上説明した各構成部材を組み立てたものを図４（Ｂ）に示している。尚、オゾン発生装置６００の組み立ては、第１の実施形態におけるオゾン発生装置６０の場合と同じであるため、詳細な説明は省略する。また、オゾン発生装置６００を、空気清浄機１の仕切壁７０に取り付けた際は、覆い部６２０および吸込部６４０ａの他端が下流側送風路１０ｂに突出するよう、また、戻しダクト６４０のうち上述した吸込部６４０ａの他端以外の部分が上流側送風路１０ａにおける加湿ユニット４０の上方に配置される。
【００４８】
図４（Ｂ）に示すように、覆い部６２０を装置筐体６３０に組み付ければ、覆い部６２０の戻し孔６２０ｃが戻しダクト６４０の吸込部６４０ａの上部に配置されるようになっている。電源基板６６からオゾナイザー６１０に電圧を印加してオゾナイザー６１０でオゾンが生成されると、生成されたオゾンは覆い部６２０によって濃度が高められ、オゾン吹出口６２０ａからオゾン発生装置６００外部に放出される（図４（Ｂ）の破線矢印Ｆ）。また、覆い部６２０に滞留するオゾンの一部は、戻し孔６２０ｃから流出して吸込部６４０ａに流入し、下流側送風路１０ｂから吸込部６４０ａに流入した空気とともにダクト部６４０ｂを流れてオゾン戻し口６４０ｃから放出される（図４（Ｂ）の破線矢印Ｇ）。
【００４９】
覆い部６２０によって、オゾナイザー６１０で発生したオゾン濃度が高くなるが、高濃度のオゾンをそのまま戻しダクト６４０を介して加湿ユニット４０に戻すと、加湿ユニット４０のフィルタや加湿ユニット４０付近に存在する樹脂部品が、高濃度のオゾンにより劣化してしまう虞がある。そこで、本実施形態のオゾン発生装置６００では、覆い部６２０から戻し孔６２０ｃを介して吸込部６４０ａに流入するオゾンに下流側送風路１０ｂから流入した空気を混ぜることでオゾン濃度を低下させてダクト部６４０ｂに流し、オゾン戻し口６４０ｃから加湿ユニット４０にオゾンを供給している。これにより、高濃度のオゾンによる加湿ユニット４０のフィルタや加湿ユニット４０付近に存在する樹脂部品の劣化を防ぐことができる。
【００５０】
以上説明した通り、本発明の空気清浄機は、生成したオゾンを加湿手段に供給するための戻しダクトを上流側送風路における加湿手段の上方に配置し、かつ、戻しダクトの一部が加湿手段における空気吸込口側の空気通過面より仕切壁側に配置されている。従って、戻しダクトが下流側送風路を流れる空気の通風抵抗とならず、かつ、上流側通風路においても空気の流れが少ない箇所に配置されているので、効率よく空気清浄や加湿手段の除菌・脱臭が行える。
【符号の説明】
【００５１】
１  空気清浄機
１０  送風路
１０ａ  上流側送風路
１０ｂ  下流側送風路
１１  空気吸込口
１２  空気吹出口
４０  加湿ユニット
４０ａ  空気流入面
４０ｄ  回転軸
５０  送風機
６０  オゾン発生装置
６１  オゾナイザー
６２  覆い部
６２ａ  オゾン吹出口
６３  装置筐体
６３ａ  戻し孔
６４  戻しダクト
６４ａ  オゾン戻し口
６００  オゾン発生装置
６１０  オゾナイザー
６２０  覆い部
６２０ａ  オゾン吹出口
６２０ｃ  戻し孔
６３０  装置筐体
６４０  戻しダクト
６４０ａ  吸込部
６４０ｂ  ダクト部
６４０ｃ  オゾン戻し口
８０  仮想平面
９０  空間
【図１】
2014052084.tif 000003
【図２】
2014052084.tif 000004
【図３】
2014052084.tif 000005
【図４】
2014052084.tif 000006